(57)【要約】    【課題】多数枚の繰り返し画像形成時において、広範囲の環境にわたって初期画像から最後に形成される画像まで色味の変動を抑えることができ、且つ生産性の高い優れた画像形成装置を提供する。    【解決手段】回転可能な電子写真感光体と、該電子写真感光体の周囲に設けられた前露光手段、帯電手段、潜像形成手段、現像手段、及び転写手段を有し、前記潜像形成手段による潜像の形成に先駆けて、前記前露光手段による電子写真感光体表面の除電と前記帯電手段による電子写真感光体表面の帯電とを、前記電子写真感光体の回転下で同時に行う画像形成装置において、前記電子写真感光体として樹脂を主成分とする中間層を有する有機感光体を用い、更に、前記電子写真感光体の周囲の温度及び／又は湿度を検知する検知手段と、該検知手段によって検知された温度及び／又は湿度情報に従って、前記電子写真感光体表面の除電及び帯電を行う際の電子写真感光体の回転数を制御する制御手段を用いる。【選択図】      図１
2005300745.tif 000002
【特許請求の範囲】
【請求項１】
少なくとも、回転可能な電子写真感光体と、該電子写真感光体の周囲に設けられた前露光手段、帯電手段、潜像形成手段、現像手段、及び転写手段を有し、前記潜像形成手段による潜像の形成に先駆けて、前記前露光手段による電子写真感光体表面の除電と前記帯電手段による電子写真感光体表面の帯電とを、前記電子写真感光体の回転下で同時に行う画像形成装置であって、
前記電子写真感光体は、樹脂を主成分とする中間層を有する有機感光体であり、
前記画像形成装置は、更に、前記電子写真感光体の周囲の温度及び／又は湿度を検知する検知手段と、該検知手段によって検知された温度及び／又は湿度情報に従って、前記電子写真感光体表面の除電及び帯電を行う際の電子写真感光体の回転数を制御する制御手段を有することを特徴とする画像形成装置。
【請求項２】
前記電子写真感光体が少なくとも、導電性支持体と、該導電性支持体上に設けられた中間層及び感光層をこの順に積層して有するものであり、前記中間層がポリアミド樹脂を含有する層であることを特徴とする請求項１記載の画像形成装置。
【請求項３】
前記制御手段は、前記電子写真感光体の周囲の温度が低いほど前記除電及び帯電を行う際の電子写真感光体の回転数が多くなるように制御することを特徴とする請求項１又は２記載の画像形成装置。
【請求項４】
前記制御手段は、前記電子写真感光体の周囲の湿度が低いほど前記除電及び帯電を行う際の電子写真感光体の回転数が多くなるように制御することを特徴とする請求項１〜３のいずれか一項に記載の画像形成装置。
【請求項５】
前記制御手段は、前記電子写真感光体の周囲が一定温度以下であり且つ一定湿度以下の雰囲気である場合に、前記除電及び帯電を行う際の電子写真感光体の回転数を増加させるよう制御することを特徴とする請求項１又は２記載の画像形成装置。
【発明の詳細な説明】
【技術分野】
【０００１】
本発明は電子写真方式によって画像形成を行う複写機、プリンター、ファクシミリ等の画像形成装置に関する。
【背景技術】
【０００２】
電子写真方式を利用した画像形成装置は、一般的には、像担持体となる感光体と、感光体表面を帯電する帯電部材（コロナ帯電器、帯電ローラなど）、感光体上に静電潜像を形成する為の像露光部材、該静電潜像を現像するための現像部材、現像像を転写材に転写するための転写部材、必要によっては、感光体上の残留トナーをクリーニングするクリーニング部材、感光体上の潜像を一旦消去するための除電露光部材、更に転写材上のトナー像を定着するための定着部材によって構成される。
【０００３】
上記画像形成装置は複写機の他、プリンター、ファクシミリ等、広い分野で実用されており、特に近年では、カラー化の普及に伴って、印刷機としての利用も広まりつつある。このような状況にあって、電子写真方式を利用した画像形成装置では、高画質化のニーズの高まりから、画像濃度の安定化及び均一性の向上に向けた様々なアプローチがなされている。このようなアプローチの例として、形成した画像を解析し、その情報を元に感光体上の帯電電位を制御するシステムにより画像の安定化を図る試みや（例えば、特許文献１参照）、レーザーの発振波長を短くし、レーザーのスポット径を小さくすることによる潜像の高解像度化（例えば、特許文献２参照）などが挙げられる。
【０００４】
一方、画像形成装置に使用する電子写真感光体の材料として、有機材料のポリビニルカルバゾール、フタロシアニン及びアゾ顔料等は高生産性や無公害性等の利点が注目されており、無機材料と比較して光導電特性や耐久性等の点で劣る傾向にあるものの、広く用いられるようになってきた。有機材料を用いた電子写真感光体を以下では「有機感光体」と称する。
【０００５】
これらの有機感光体は、電気的特性及び機械的特性の双方を満足するために、電荷発生層と電荷輸送層を積層した機能分離型の感光体として利用される場合が多いが、当然のことながら、電子写真感光体には適用される電子写真プロセスに応じた感度、電気的特性、更には光学的特性を備えていることが要求される。特に繰り返し使用される感光体の表面には、帯電、画像露光、トナー現像、紙への転写、クリーニングといった様々な電気的、機械的外力が直接加えられるため、それらに対する耐久性や安定性に対する要求は高い。特に、近年の画像形成装置に求められている高画質化、画像安定化の要求から、有機感光体に求められる耐久性や安定性の要求は高まる一方である。
【０００６】
有機感光体は基本的には支持体と支持体上に形成された感光層とから構成されている。支持体としてはアルミニウムやアルミニウム合金が多く用いられているが、これらアルミニウム又はアルミニウム合金の表面には、微少な構造的欠陥やアルミニウム中に存在する化学的な不純物のため、そのまま用いるのは電子写真特性上好ましくない。特に近年、ますます高品質の画像を要求されるカラー画像形成装置では画像の均一性、カブリ等の画像欠陥排除の要求は高まるばかりである。
【０００７】
そこで有機感光体では、その支持体の構造的欠陥の被覆、感光層と支持体との密着性改良、感光層の電気的破壊に対する保護、帯電性の向上、基板から感光層への電荷注入性の改良等のため支持体と感光層との間に樹脂を主成分とした中間層を設けることが有効であった。
【０００８】
しかしながら、上記樹脂を主成分とした中間層を設けた有機感光体を、電子写真方式を利用した画像形成装置に用いた場合に、連続して同一の画像形成を繰り返し行った際に、１枚目の画像と最後に形成された画像との間で、特に中間調の色味が微妙に変化するという問題が発覚した。上記問題はこれまでの電子写真方式を利用した画像形成装置による画像では問題と認識されなかった程度の変化であるが、該像形成装置をカラー印刷の分野で利用しようとするときに問題と認識された。また、今後の画像形成装置に対する高画質化、高安定化の要求に際しては解決する必要がある問題となった。
【０００９】
本問題を検討した結果、原因のひとつとして繰り返し使用時での感光体の明部電位（像形成用露光照射部の電位、以下「Ｖｌ電位」と称する）の上昇があり、このＶｌ電位の上昇は、作像前に、電子写真感光体を帯電及び帯電前除電露光を伴って回転（以下、この回転を「前回転」と称する）させることによって抑えられることが判明した。しかし単に上記回転数を増加させるということはファーストコピースピードを落とし、画像形成装置の生産性を低下させることが問題であった。
【特許文献１】特開平０６−０２７７７６号広報
【特許文献２】特開平０９−２４００５１号広報
【発明の開示】
【発明が解決しようとする課題】
【００１０】
本発明は上記問題点に鑑みなされたものであり、多数枚の繰り返し画像形成時において、広範囲の環境にわたって初期画像から最後に形成される画像まで色味の変動を抑えることができ、且つ生産性の高い優れた画像形成装置を提供することを課題とする。
【課題を解決するための手段】
【００１１】
本発明者らは上記課題を解決すべく鋭意検討の結果、同一画像を連続多数枚形成した際の色味の変化の原因となる明部電位の上昇の度合いが電子写真感光体近傍における温度及び湿度に依存することを見出した。そして、静電潜像形成前に行う、除電及び帯電を伴った電子写真感光体の回転の回数をこの温度及び湿度に応じて適宜選択することにより、画像形成速度を必要以上に落とすことなく同一画像を多数枚形成した際の色味の変動を抑える本発明の画像形成装置を完成させるに至った。
【００１２】
即ち、本発明の画像形成装置は以下の通りである。
（１）少なくとも、回転可能な電子写真感光体と、該電子写真感光体の周囲に設けられた前露光手段、帯電手段、潜像形成手段、現像手段、及び転写手段を有し、前記潜像形成手段による潜像の形成に先駆けて、前記前露光手段による電子写真感光体表面の除電と前記帯電手段による電子写真感光体表面の帯電とを、前記電子写真感光体の回転下で同時に行う画像形成装置であって、
前記電子写真感光体は、樹脂を主成分とする中間層を有する有機感光体であり、
前記画像形成装置は、更に、前記電子写真感光体の周囲の温度及び／又は湿度を検知する検知手段と、該検知手段によって検知された温度及び／又は湿度情報に従って、前記電子写真感光体表面の除電及び帯電を行う際の電子写真感光体の回転数を制御する制御手段を有することを特徴とする画像形成装置。
（２）前記電子写真感光体が少なくとも、導電性支持体と、該導電性支持体上に設けられた中間層及び感光層をこの順に積層して有するものであり、前記中間層がポリアミド樹脂を含有する層であることを特徴とする（１）の画像形成装置。
（３）前記制御手段は、前記電子写真感光体の周囲の温度が低いほど前記除電及び帯電を行う際の電子写真感光体の回転数が多くなるように制御することを特徴とする（１）又は（２）の画像形成装置。
（４）前記制御手段は、前記電子写真感光体の周囲の湿度が低いほど前記除電及び帯電
を行う際の電子写真感光体の回転数が多くなるように制御することを特徴とする（１）〜（３）のいずれかの画像形成装置。
（５）前記制御手段は、前記電子写真感光体の周囲が一定温度以下であり且つ一定湿度以下の雰囲気である場合に、前記除電及び帯電を行う際の電子写真感光体の回転数を増加させるよう制御することを特徴とする（１）又は（２）の画像形成装置。
【００１３】
本発明によれば、電子写真方式を利用した画像形成装置において、電子写真感光体表面に静電潜像を形成する（像露光を行う）前に、電子写真感光体を帯電前除電露光及び帯電しつつ回転させ（以下、このような電子写真感光体の回転を「前回転」とも称する）、この時の回転数を、画像形成装置内に設置された検知手段により得られた電子写真感光体表面の周囲の温度及び／又は湿度に応じて制御する。これにより、如何なる使用環境においても最少の前回転数で、多数枚の繰り返し画像形成時における電子写真感光体のＶｌ変動を抑制することが可能となる。その結果、初期画像から繰り返し形成された最後の画像まで、色味の変動を抑えることができ、且つ生産性の高い優れた画像形成装置を提供することできる。
【発明の効果】
【００１４】
本発明によれば、有機感光体を用いた画像形成装置において、感光体の周囲の温度及び／又は湿度に応じて前回転数を制御することにより環境に合わせた最短の前回転数を設定することができ、高い画像生産性と画像欠陥や色味変動がない高品位な画像形成とを両立することができる。
【発明を実施するための最良の形態】
【００１５】
以下に本発明について詳細に説明する。
まず、本発明の画像形成装置に用いる電子写真感光体について説明する。本発明で用いる電子写真感光体は、樹脂を主成分とする中間層を有する有機感光体である。このような有機感光体の具体的な構成としては、導電性の支持体上に、樹脂を主成分とする中間層と、電荷発生物質及び電荷輸送物質を含有する感光層とをこの順に積層してなるものが好ましく用いられる。ここで、感光層としては電荷発生物質を含有する電荷発生層及び電荷輸送物質を含有する電荷輸送層を、この順に積層してなるものであってもよいし、又は電荷発生層及び電荷輸送層を逆に積層した構成であってもよい。また、電荷発生物質と電荷輸送物質を同一層中に分散した単層の感光体であってもよく、いずれの構成も用いることが可能である。前者の積層型の感光層においては電荷輸送層が２層以上の構成であってもよく、また後者の単層型の感光層においては電荷発生物質と電荷輸送物質とを同一層中に含有する感光層上に更に電荷輸送層を有する構成であってもよい。更に、これらの感光層上に保護層を形成することも可能である。
【００１６】
本発明においては、上記感光体のうちいずれのものを用いた場合でも、樹脂を主成分とした中間層を上記導電性支持体と感光層との間に設けることが重要である。即ち、本発明に用いる有機感光体では、支持体の構造的欠陥の被覆、感光層と支持体との密着性改良、感光層の電気的破壊に対する保護、帯電性の向上、支持体から感光層への電荷注入性の改良等のために、支持体と感光層との間に樹脂を主成分とした中間層を設ける。
【００１７】
中間層に用いる樹脂としては、ポリビニルアルコール、ポリ−Ｎ−ビニルイミダゾール、ポリエチレンオキシド、エチルセルロース、エチレン−アクリル酸共重合体、カゼイン、ポリアミド、にかわ及びゼラチン等が挙げられる。中でもポリアミド樹脂は、上記中間層に求められる特性のバランスがよく、支持体の被覆性、感光層の塗布均一性に優れ、近年の高画質化の要求に対して、特に画像の均一性に優れた感光体の提供を可能にする。ここで、ポリアミド樹脂とはポリマーの主鎖中にアミド結合（−ＮＨ−ＣＯ−）をもつ重合体を示し、６ナイロン、６６ナイロン、共重合ナイロンや、Ｎ−メトキシメチル化ナイロ
ン等の変成ナイロンが含まれる。中間層は、これらの材料をそれぞれに適した溶剤に溶解した溶液を支持体上に塗布し、乾燥することによって形成される。膜厚は、０．１〜１０μｍであることが好ましい。
【００１８】
中間層としては、（１）樹脂単独のもの、（２）導電性フィラーやイオン性物質を含有した樹脂薄膜のもの、及び（３）（１）と（２）を組み合わせたもの等が挙げられるが、樹脂を主成分とする上記（１）〜（３）の構成はいずれも上記中間層を設ける目的に対して非常に有効である。（２）の場合に中間層に含有させる導電性フィラーとしては市販の導電性微粒子が利用でき、酸化錫、酸化チタン、ＩＴＯ（インジウム・スズ酸化物）等の金属酸化物や、金、銅、アルミニウム等の金属粒子を必要によってシランカップリング剤等の表面処理剤によって表面処理を施したものが使用可能である。また、イオン性物質としては各種四級アンモニウム塩、リン酸塩等が一般的である。
【００１９】
本発明で用いる有機感光体は、上記中間層上に感光層及び必要に応じて更に保護層を積層した構成を有している。上記のような樹脂を主成分とした中間層が設けられた有機感光体は支持体からの電荷注入も防止され、帯電時の均一性に優れ、カブリのない均質な画像を提供できる。しかし、本発明者らの検討によれば、この電子写真感光体を用いた市販の電子写真方式を利用した画像形成装置において広範囲の温度／湿度の環境下で連続して同一の画像形成を繰り返し行った場合には、一部の環境において、一枚目と最後の画像間で、中間調の色味が微妙に変化する現象が確認された。
【００２０】
上記樹脂を主成分とした中間層を設けた有機感光体を、電子写真方式を利用した画像形成装置に用いた場合の、中間調の色味の微妙な変化は、同一画像を繰り返し形成した際における電子写真感光体の明部電位（潜像形成用露光照射部の電位、以下「Ｖｌ」と称する）の変化であることが本発明者らの検討により明らかになった。また、本発明者らは、このＶｌの変化が電子写真感光体の周りの雰囲気に依存することも解明した。更に、上記Ｖｌを安定化させる手法として、画像形成開始時の前段として、潜像の形成（像露光）に先駆けて電子写真感光体を、帯電前除電露光及び帯電しつつ一定回数以上回転（前回転）させることが有効であることが分かった。また、この前回転の必要回転数は電子写真感光体のＶｌの変化、即ち電子写真感光体の周りの雰囲気に依存することが判明した。
【００２１】
次に、上記電子写真感光体を用いた本発明の画像形成装置について説明する。
本発明の画像形成装置は、少なくとも、回転可能な上記電子写真感光体と、該電子写真感光体の周囲に設けられた前露光手段、帯電手段、潜像形成手段、現像手段、及び転写手段を有する。本発明の画像形成装置は、更に、上述したような同一画像を多数枚繰り返して形成した際に起こる色味の変動を防止するために、上記潜像形成手段による潜像の形成に先駆けて、前記電子写真感光体の回転下で同時に前露光手段による電子写真感光体表面の除電と帯電手段による電子写真感光体表面の帯電（即ち前回転）を行う。上記画像形成装置は、この時の電子写真感光体の回転数を決定するために、電子写真感光体の周囲の温度及び／又は湿度を検知する検知手段と、該検知手段によって検知された温度及び／又は湿度情報に従って、前記電子写真感光体表面の除電及び帯電を行う際の電子写真感光体の回転数を制御する制御手段とを有する。即ち、本発明の画像形成装置は、検知手段によって検知された電子写真感光体の周囲の温度及び／又は湿度に応じて決定された回数の前回転を行うことを特徴とする。
【００２２】
以下、本発明の画像形成装置の実施形態を説明する。なお、以下の説明における「部」は質量部を表す。
〈第１実施形態〉
（有機感光体１の製造）
１０％の酸化アンチモンを含有する酸化スズで被覆した酸化チタン粉体５０部、レゾー
ル型フェノール樹脂２５部、メチルセロソルブ２０部、メタノール５部及びシリコーンオイル（ポリジメチルシロキサン・ポリオキシアルキレン共重合体、平均分子量３，０００）０．００２部を、φ１ｍｍのガラスビーズを用いたサンドミルで２時間分散して導電層用塗料を調製する。アルミニウムシリンダー（φ３０ｍｍ）上に、導電層用塗料を浸漬法で塗布し、１４０℃で３０分間乾燥させ、膜厚が１５μｍの導電層を形成する。
【００２３】
導電層上にポリアミド（商品名「Ｍ９９５」、日本リルサン株式会社製）１０．０部、ポリアミド（商品名「ＣＭ−８０００」、帝国化学産業株式会社製）３０．０部をメチルアルコール４１２部、ｎ−ブチルアルコール２０６部からなる混合溶媒に溶解した溶液を浸漬法で塗布し、１００℃で１０分間乾燥して、膜厚が０．６５μｍの中間層を形成する。次に、ＣｕＫα特性Ｘ線回折におけるブラッグ角２θ±０．２°の７．４°及び２８．２°に強いピークを有するヒドロキシガリウムフタロシアニン結晶２．５部を、ポリビニルブチラール樹脂（商品名「エレックスＢＸ−１」、積水化学工業株式会社製）１部をシクロヘキサノン１９部に溶解した樹脂溶液と混合し、φ１ｍｍのガラスビーズを用いたサンドミルで３時間分散して分散液を調製する。これにシクロヘキサノン６９部と酢酸エチル１３２部を加えて希釈して塗料を調製し、それを浸漬法により塗布し、１００℃で１０分間乾燥して、膜厚が０．３μｍの電荷発生層を形成する。
【００２４】
次いで、下記構造式（Ａ）で表されるスチリル化合物２０部及び下記構造式（Ｂ）で表される繰り返し単位を有するポリカーボネート樹脂（数平均分子量４０，０００）２５部をモノクロロベンゼン１５０部／メチラール５０部の混合溶媒中に溶解して調製した電荷輸送層用塗料を用いて浸漬法で塗布し、１２０℃で６０分間乾燥して、前記電荷発生層上に膜厚は２０μｍの電荷輸送層を形成し、有機感光体を得る。これを「有機感光体１」とする。
【００２５】
【化１】
2005300745.tif 000003
【００２６】
【化２】
2005300745.tif 000004
【００２７】
（画像形成装置）
以下、上記有機感光体１を用いた画像形成装置の実施形態を図面を用いて説明する。図１は、本発明の第１実施形態に係る画像形成装置を示す概略構成図である。図１の画像形成装置は、本発明における回転可能な電子写真感光体としての、ドラム型の上記有機感光体１と、この有機感光体１の周囲に設けられた前露光手段６、帯電手段としてのコロナ帯電器２、潜像形成手段としての露光手段（図示せず）、現像手段としての現像器３、検知手段としての温度及び／又は湿度センサー、転写手段４、クリーニング手段としてのクリーナー５を有している。上記画像形成装置は、更に、転写手段４において転写材７上に転写された像（トナー像）を定着する定着手段としての定着器を有している。
【００２８】
上述したドラム型の有機感光体１は、軸１ａを中心に矢印方向に所定の周速度で回転駆動する。本実施形態１では感光体の周速を１５０ｍｍ／ｓｅｃとしている。本実施形態ではドラム型の有機感光体１を用いているが、エンドレスベルト状の感光体を用いてもよく、上述したような樹脂を主成分とする中間層を有する回転可能な有機感光体であればその形状は特に限定されない。
【００２９】
有機感光体１は、画像形成工程においてスコロトロン方式のコロナ帯電器を用いた帯電手段２により、その周面に負の所定電位（本実施形態では−７００Ｖ、以下この電位を「Ｖｄ」と称する）の均一帯電を受ける。なお、帯電手段としては接触帯電方式を用いたものを用いてもよい。帯電手段により均一帯電を受けた有機感光体１は、次いで露光部にて不図示のレーザーを用いた露光手段により不図示のコントローラより送られる画像信号に基づいた画像形成用露光光Ｌを受ける。これにより、電子写真感光体周面に露光光Ｌに対応した静電潜像が順次形成されていく。本実施形態では露光光源として半導体レーザーを用い、光照射位置の有機感光体上の表面電位が−２００Ｖになるように光量を制御している。以下、このときの感光体上の表面電位を「Ｖｌ」と称す。
【００３０】
以上のように感光体上に形成された静電潜像は、次いで現像手段３においてトナーにより現像される。本実施形態では現像手段としてはトナー現像器を用い、該現像器には不図示の現像剤であるトナーが蓄えられ、トナーは現像器内の部材（不図示）との摩擦によって負に帯電され、感光体と隣接して配置されている現像スリーブ３−１に供給される。現像スリーブ３−１は、一般に金属ローラで構成されており、この現像スリーブ３−１に上記ＶｄとＶｌの間の適当なバイアス（以下、「現像バイアス」と称する）が印加される。これにより、感光ドラム１と現像スリーブ３−１の間に電界を発生させ、感光ドラム１上のＶｌ部分に対応する現像スリーブ３−１上のトナーのみが有機感光体１上に飛翔する。このトナーの飛翔により、有機感光体１上にトナー画像が形成される。なお、通常、現像の安定化の目的で、現像バイアスは、直流バイアスに交流バイアスを重畳したバイアス（ＡＣ＋ＤＣバイアス）が用いられる。
【００３１】
なお、本実施形態では、一成分現像方法を用いた現像手段を用いているが、これに限らず、二成分現像方法を用いたものであってもよい。また、本発明における現像手段は磁性現像剤及び非磁性現像剤のいずれを用いるものであってもよく、これらは特に限定されるものではない。また、本発明に用いられる現像剤も、電子写真法に用いられる公知のものを用いることができ、現像手段に合わせて適宜最適なものが選択される。なお、本実施形態おいては、現像剤として磁性現像剤を用いている。
【００３２】
有機感光体１上に形成されたトナー画像は、転写手段４により転写材７の面に順次転写されていく。ここで転写材７は、不図示の給紙部から、電子写真感光体１の回転と同期して取り出され、電子写真感光体１と転写手段４との間に給送される。像転写を受けた転写
材７は、有機感光体面から分離されて定着手段８へ導入され、像定着を受けることにより画像形成物（プリント、コピー）として機外ヘプリントアウトされる。像転写後の電子写真感光体１の表面は、クリーニング手段５にて転写残りトナーの除去を受けて清浄面化され、前露光手段６により除電処理がなされて繰り返して像形成に使用される。
【００３３】
以上のような過程を経て作像を繰り返す画像形成装置において、前記のように特定の条件下で繰り返し画像形成した際に発生するＶｌの変動による画像の色味変化を防止するために、本発明の画像形成装置は感光体周囲の環境に応じて上記前回転数を制御する制御手段を有する。
【００３４】
そのために本実施形態では、画像形成装置内の適当な箇所に検知手段としての温度及び／又は湿度センサー９が配置されている。温度及び／又は湿度センサー９には制御手段として不図示の制御装置（ＣＰＵ）が接続されており、制御装置（ＣＰＵ）はセンサー９から入力される情報に基づいて、前回転数の制御を行う。
【００３５】
温度及び／又は湿度センサー９は、有機感光体１表面近傍の温度及び／又は湿度が測定できる位置であればどのような場所に設置してもよいが、有機感光体１の置かれている環境をより正確に検知するために、有機感光体１にできるだけ近い位置に設置されることが好ましい。しかし、有機感光体１表面への画像形成の妨げとならないよう、上記温度及び／又は湿度センサー９は有機感光体１表面と非接触であることが好ましい。なお、本実施形態では、温度及び／又は湿度センサー９は有機感光体１の回転方向において現像器３の下流、転写手段の上流に設置されているが、有機感光体１表面近傍の他の位置に設けられていてもよく、画像形成装置の他の部材との兼ね合いで適宜決定される。また、温度及び／又は湿度センサーとしては公知のものを用いることができる。
【００３６】
次に上記制御手段について説明する。
まず、同一画像を連続多数枚形成した際の色味の変化を引き起こす明部電位Ｖｌの上昇の度合いと電子写真感光体近傍における環境（温度及び／又は湿度）との関係を示す。この関係は、上記有機感光体１を装着した本実施形態の画像形成装置について、感光体周囲の温度及び湿度をそれぞれ変化させ、前回転０回でスタートボタンと押すと同時にベタ黒画像の画像形成を開始し、連続５０枚の画像を形成した時の各温度及び湿度におけるＶｌの変化量を測定することにより得た。なお、Ｖｌの変化量は現像器内の現像スリーブ上流位置に不図示の表面電位計（Trek製  344）を装着し、これを用いることにより測定した
。結果を表１に示す。
【００３７】
【表１】
2005300745.tif 000005
【００３８】
表１より明らかなように、Ｖｌは温度及び湿度に依存して変動する。Ｖｌ変動の許容幅
は白黒機、ビジネスユースのカラー機、グラフィック使用のカラー機等、機種によって異なるが、厳密にはＶｌが５Ｖ以上変化するとカラー画像では色味の変化が認知される。そこで例としてＶｌの変動を５Ｖ未満に抑えるために、実施形態１では表１において５Ｖ以上のＶｌ変動が認められる温度及び湿度環境において前回転数を制御する必要がある。
【００３９】
そこで、本実施形態おける前回転の回数とＶｌ変動との関係を、温湿度が１０℃／５％及び２５℃／１０％の場合を例に挙げて測定した。結果を表２及び表３に示す。
【００４０】
【表２】
2005300745.tif 000006
【００４１】
【表３】
2005300745.tif 000007
【００４２】
表２及び３より、本実施形態でＶｌ変動を５Ｖ未満に制御する為には温度１０℃、湿度５％の環境では前回転が５回転、温度２０℃、湿度１０％では前回転が２回転とすればよいことが分かる。他の温度及び湿度に関しても同様の測定を行い、各温度、湿度における必要な前回転数を求めた。これを表４に示す。
【００４３】
【表４】
2005300745.tif 000008
【００４４】
本実施形態の画像形成装置では、プリント命令が出された時点で、温度、湿度センサー９の出力データを不図示の制御装置に取り込み、表４のデータから前回転数Ｎが決定される。有機感光体の回転開始後、帯電手段による有機感光体表面の帯電及び前露光手段による除電を行いながら、Ｎ回の有機感光体の回転を行う（この状態が前回転となる）。この前回転を行った後に画像形成用露光光Ｌを感光体に照射して作像を開始し、順次現像、転写、クリーニングを繰り返して画像を得る。本発明においては１回の画像形成動作とは画像の枚数によらず、感光体の回転開始から停止までとするが、１回の画像形成動作において前回転動作は１回でよい。
【００４５】
以上のように感光体周囲の環境情報により前回転数を制御するシステムを用いた、本発明の実施形態１によれば、同一の画像を連続して複数枚形成する場合に、いかなる環境においても、画像の枚数によらず、１枚目と最後の画像まで色見の変化が全く見られない、且つカブリ等の画像欠陥のない高品位な画像形成を行うことが可能となる。
【００４６】
また、表２〜４から明らかなように、本発明の画像形成装置においては、前回転数は温度にも湿度にも依存して変化させ、低温であるほど、又は低湿度であるほど増加させるように制御することが好ましい。また、制御を簡略化するために９のセンサーとして、温度センサーのみ、又は湿度センサーのみを用い、その出力信号により前回転数を制御することも可能である。また、制御手段は、有機感光体の周囲が一定温度以下であり且つ一定湿度以下の雰囲気である場合に、前回転数を増加させるよう制御する方式のものであってもよい。
【００４７】
〈実施形態２〉
（有機感光体２の製造）
有機感光体１の製造方法と同様の方法を用いて、アルミニウムシリンダー上に導電層、中間層及び電荷輸送層を形成する。次いで、下記構造式（Ｃ）で表される正孔輸送性化合物７０部と、ポリテトラフルオロエチレン粒子（ダイキン（株）製、ルブロンＬ２）３０部とをエタノール１２０部と混合し、得られた溶液をサンドミルにより１時間分散して表面保護層用塗料を調製する。この塗料をディップコーティング法により先の電荷輸送層上に塗布し、窒素雰囲気中にて加速電圧８０ｋＶ、線量５Ｍｒａｄの条件で電子線を照射し、更に窒素中で１３０℃に５分間加熱して樹脂を硬化し、膜厚４μｍの表面保護層を形成し、更に安定化のために空気中で１４０℃１時間加熱することにより、本実施形態で用いる有機感光体を得る。これを「有機感光体２」とする。
【００４８】
【化３】
2005300745.tif 000009
【００４９】
（画像形成装置）
図２は、本発明の実施形態２に係る画像形成装置の概略構成図である。本発明は実施形態１の（単色画像を形成する）１ドラム方式の画像形成装置に限らず、図２に示すような、マルチカラー又はフルカラーの画像を形成する４ドラム方式の画像形成装置にも好ましく用いることができる。本実施形態の画像形成装置は、前述の実施形態１で示したドラム型の有機感光体１と、帯電手段２、画像形成用露光光Ｌを照射する露光手段（図示せず）、現像手段３、転写手段４、クリーニング手段５及び前露光手段６を含んだ画像形成ユニットを４つ配置し、現像手段３に収容されるトナーの色を図中右からイエロー、マゼンタ、シアン、ブラックの順としている。本発明ではこのような画像形成装置に従来用いられているカラートナーを広く用いることができ特に限定されないが、本実施形態では、キヤノン（株）製カラー複写機  ｉＲＣ3200で用いられているものと同様の現像剤を用いている。各色のユニットで形成されたトナー像は中間転写部材１０に順次重ね合わせて転写され、次いで転写材７に再度転写させる。その後、転写材７は定着手段８へ導入されて像定着を受けることにより画像形成物（プリント、コピー）として機外ヘプリントアウトされる。
【００５０】
温度及び／又は湿度センサー９はイエローユニットの有機感光体付近に設置され、センサー９には更に不図示の制御手段（ＣＰＵ）が接続されており、この制御手段（ＣＰＵ）はセンサー９から入力される情報に基づいて前回転数を制御する。本実施形態２では、感光体周速を２００ｍｍ／ｓｅｃとしている。上記実施形態１と同様の方法により得られた、この実施形態における感光体周囲の温度、湿度における最適な前回転数を表５に示す。
【００５１】
【表５】
2005300745.tif 000010
【００５２】
本実施形態２においても、センサー９の情報に基づいて、表５のデータから決定される前回転数を実行することで、いかなる環境においても、連続画像形成時の色味変化を防止し、且つカブリ等の画像欠陥のない高品位な画像形成を行うことができる。
【００５３】
〈実施形態３〉
（有機感光体３の製造）
有機感光体１の製造方法と同様の方法を用いて、アルミニウムシリンダー（φ８４ｍｍ）上に導電層を形成する。その上に、下記材料を混合し、ボールミル粉砕を行って得られた中間層用塗工液１を浸漬塗工後、１５０℃３０分間乾燥することにより、膜厚が５．０μｍの中間層を形成する。更に、有機感光体２の製造方法と同様の方法により感光層及び保護層を積層し、本実施形態で用いる有機感光体を得る。これを「有機感光体３」とする。
【００５４】
酸化チタン粉末〔タイペークＣＲ−ＥＬ（石原産業製）〕          ６０部
アルキッド樹脂〔ベッコライトＭ６４０１−５０ＥＬ（大日本インキ工業製）〕
１２部
メラミン樹脂〔スーパーベッカミンＧ−８２１−６０（大日本インキ化学工業製）〕
７部
メチルエチルケトン                                            ５０部
【００５５】
（画像形成装置）
図３は、本発明の実施形態３に係る画像形成装置を示す概略構成図である。図３は現像手段としてイエロー、マゼンタ、シアン、ブラックの４つの現像器を１つにまとめたロータリー方式の現像器を用いたカラー画像形成装置である。図３において、感光体１として上記有機感光体３を用い、この感光体１の周囲に帯電手段２、露光手段Ｌ、現像手段３、転写手段４、クリーニング手段５、前露光手段６を配置している。現像手段３は、上記実施形態２と同様にイエロー、マゼンタ、シアン、ブラックのカラートナーをそれぞれ収容した現像器をロータリー状に配置して有している。カラーの画像形成の場合には、必要な色に応じて複数回作像を繰り返し、各色のトナー像を順次中間転写部材１０に転写させ、次いで転写材７に再度転写させる。その後、転写材７は定着手段８へ導入されて像定着を受けることにより画像形成物（プリント、コピー）として機外ヘプリントアウトされる。
【００５６】
実施形態１と同様に温度及び湿度センサー９は感光体１付近に設置され、センサー９には更に不図示の制御手段（ＣＰＵ）が接続されており、この制御手段（ＣＰＵ）はセンサー９から入力される情報に基づいて前回転数を制御する。本実施形態３では、感光体周速を３００ｍｍ／ｓｅｃとしている。上記実施形態１と同様の方法により得られた、この実施形態における感光体周囲の温度、湿度における最適な前回転数を表６に示す。
【００５７】
【表６】
2005300745.tif 000011
【００５８】
本実施形態３においても、センサー９の情報に基づいて、表６のデータから決定される前回転数を実行することで、いかなる環境においても、連続画像形成時の色味変化を防止し、且つカブリ等の画像欠陥のない高品位な画像形成を行うことができる。
【００５９】
なお、上記実施形態１〜３では電子写真方式を用いた複写機を例として説明したが、本発明の画像形成装置はこれに限らず、レーザービームプリンター、ＣＲＴプリンター、ＬＥＤプリンター、液晶プリンター及びレーザー製版等の電子写真応用分野にも広く用いることができる。
【００６０】
本発明の画像形成装置の効果をより明確に示すために、比較例として以下のような感光体を製造し、この感光体を用いて画像形成評価を行った。
有機感光体１の製造において、中間層を設けなかった以外は有機感光体１の製造方法と同様の方法を用いてアルミニウムシリンダー上に導電層、電荷発生層、電荷輸送層を積層し、比較有機感光体１を得た。これを実施形態１で用いたのと同様の装置に装着し、画像を形成し、これを評価した。また、感光体周囲の温度／湿度が２５℃／１０％の時の前回転０回で連続５０枚の画像形成を行った時のＶｌの変化量を測定した。
【００６１】
その結果、Ｖｌの変化量は５Ｖと比較的小さい値であったが、画像評価において、特にベタ白部に黒点状の画像欠陥が多数見られた。これは中間層がないことで、導電層から感光層への電荷注入が阻止できず、部分的な帯電不良により発生した欠陥であるものと考えられる。
【図面の簡単な説明】
【００６２】
【図１】本発明の実施形態１の画像形成装置の概略構成図
【図２】本発明の実施形態２の画像形成装置の概略構成図
【図３】本発明の実施形態３の画像形成装置の概略構成図
【符号の説明】
【００６３】
１  有機感光体（電子写真感光体）
１−ａ  感光体の軸
２  コロナ帯電器（帯電手段）
３  現像器（現像手段）
３−１  現像スリーブ
４  転写手段
５  クリーナー（クリーニング手段）
６  前露光手段
７  転写材
８  定着器（定着手段）
９  温度及び／又は湿度センサー
１０  中間転写体
【図１】
2005300745.tif 000012
【図２】
2005300745.tif 000013
【図３】
2005300745.tif 000014